(57)【要約】      （修正有）【課題】部品点数を減らすことができ、組み付けが容易なトリガー式スプレイヤー及びその製造方法を提供する。【解決手段】本体部１と、該本体部１にトリガー部４と、該トリガー部４に当接するバネ部６と、液体を収容可能な容器Ｘの口部に取り付け可能なキャップ部２と、該キャップ部２の内側のシリンダ部３と、該シリンダ部３の下端部３ａに連結された導入部５と、シリンダ部３の下端部３ａに収容されるＦバルブと、摺動可能なピストン部１３と、該ピストン部１３に連続し屈曲可能な液体流通部１３ａと、該液体流通部１３ａの先端に設けられたスピンナー部１４と、ノズル口部１５と、液体流通部１３ａに設けられトリガー部４に枢着される支持棒部１６と、ピストン部１３に収容されるＳバルブ７ｂと、を備え、本体部１、トリガー部４、バネ部６、キャップ部２、シリンダ部３、導入部５及びノズル口部１５が一体であるトリガー式スプレイヤー１００である。【選択図】図１
2013056293.tif 000002
【特許請求の範囲】
【請求項１】
本体部と、
該本体部に枢着されたトリガー部と、
該トリガー部に当接されるバネ部と、
前記本体部に内蔵され、液体を収容可能な容器の口部に取り付け可能なキャップ部と、
該キャップ部の内側に設けられたシリンダ部と、
該シリンダ部の下端部に連結された導入部と、
前記シリンダ部の下端部に収容され前記シリンダ部内への前記液体の流路を開閉するＦバルブと、
前記シリンダ部内を摺動可能なピストン部と、
該ピストン部に連続し屈曲可能な液体流通部と、
該液体流通部の先端に設けられたスピンナー部と、
該スピンナー部が嵌合されるノズル口部と、
前記液体流通部に設けられ前記トリガー部に枢着される支持棒部と、
前記ピストン部に収容され前記シリンダ部内の前記液体の流路を開閉するＳバルブと、
を備え、
少なくとも、前記本体部、前記キャップ部、前記シリンダ部、前記導入部、前記ノズル口部、前記トリガー部及び前記バネ部が一体となっているトリガー式スプレイヤー。
【請求項２】
前記トリガー部が指入れ穴部を有し、
該指入れ穴部に指を入れて、引くことにより、前記液体が噴射される請求項１記載のトリガー式スプレイヤー。
【請求項３】
前記本体部には、把持する際に指を当接する突起部が設けられており、
該突起部が前記指入れ穴部よりも下方に設けられている請求項２記載のトリガー式スプレイヤー。
【請求項４】
前記Ｓバルブが、弁と、該弁を上方に付勢するバルブ用バネ部と、前記ピストン部に前記バルブ用バネ部を固定する基部と、からなり、
前記弁、前記バルブ用バネ部及び前記基部が一体となっている請求項１〜３のいずれか１項に記載のトリガー式スプレイヤー。
【請求項５】
前記トリガー部の移動に連動して前記ピストン部が上下に摺動するようになっており、
該ピストン部の摺動に基づいて、前記シリンダ部内の前記液体が加圧され、蓄圧された該液体が前記ノズル部から外部に噴射されるようになっている請求項１〜４のいずれか１項に記載のトリガー式スプレイヤー。
【請求項６】
請求項１〜５のいずれか１項に記載のトリガー式スプレイヤーの製造方法であって、
前記本体部、前記キャップ部、前記シリンダ部、前記導入部、前記ノズル口部、前記トリガー部及び前記バネ部が一体となった第１部材に、前記Ｆバルブを挿入し、
前記ピストン部、前記液体流通部、前記スピンナー部及び前記支持棒部が一体となった第２部材に、前記Ｓバルブを取り付け、
前記第１部材の前記シリンダ部に、前記第２部材の前記ピストン部を圧入することにより得られるトリガー式スプレイヤーの製造方法。
【発明の詳細な説明】
【技術分野】
【０００１】
本発明は、トリガー式スプレイヤー及びその製造方法に関し、より詳しくは、部品点数を減らすことができ、組み付けが容易なトリガー式スプレイヤー及びその製造方法に関する。
【背景技術】
【０００２】
容器に収容された液体を所望の位置に吹き付ける装置として従来からトリガー式スプレイヤーが知られている。
かかるトリガー式スプレイヤーは、トリガーを回動することによって、内蔵されたポンプを加圧、減圧させ、その圧力変化を利用して液体を噴射させる装置であり、近年、蓄圧式のものも含めて多くのタイプが開発されている。
【０００３】
例えば、先端にノズルを嵌合した射出筒に、吐出弁体、吐出弁座、吸込み弁等を配設した蓄圧式のトリガー式スプレイヤーが知られている（例えば、特許文献１参照）。
また、ピストンバルブと該ピストンバルブをピストン弁座に押圧するバネ体と、これらを収納するピストンカバーを備えることで、蓄圧機能を有する領域の容積が小さくできる等のメリットがある蓄圧式のディスペンサーが開発されている（例えば、特許文献２参照）。
【先行技術文献】
【特許文献】
【０００４】
【特許文献１】特開２００９−６２８８号公報
【特許文献２】特開２００９−１６０５７３号公報
【発明の概要】
【発明が解決しようとする課題】
【０００５】
しかしながら、上記特許文献１又は２に記載のトリガー式スプレイヤーを含む従来のトリガー式スプレイヤーは、いずれも部品点数が多く、その分、組み付け工数が増え、且つ組み付け自体も複雑である。
【０００６】
本発明は上記事情に鑑みてなされたものであり、部品点数を減らすことができ、しかも、組み付けが容易なトリガー式スプレイヤー及びその製造方法を提供することを目的とする。
【課題を解決するための手段】
【０００７】
本発明者は、上記課題を解決するため鋭意検討したところ、本体部、キャップ部、シリンダ部、導入部、ノズル口部、トリガー部及びバネ部が一体とすることにより、上記課題を解決し得ることを見出し、本発明を完成するに至った。
【０００８】
本発明は、（１）本体部と、該本体部に枢着されたトリガー部と、該トリガー部に当接されるバネ部と、本体部に内蔵され、液体を収容可能な容器の口部に取り付け可能なキャップ部と、該キャップ部の内側に設けられたシリンダ部と、該シリンダ部の下端部に連結された導入部と、シリンダ部の下端部に収容されシリンダ部内への液体の流路を開閉するＦバルブと、シリンダ部内を摺動可能なピストン部と、該ピストン部に連続し屈曲可能な液体流通部と、該液体流通部の先端に設けられたスピンナー部と、該スピンナー部が嵌合されるノズル口部と、液体流通部に設けられトリガー部に枢着される支持棒部と、ピストン部に収容されシリンダ部内の液体の流路を開閉するＳバルブと、を備え、少なくとも、本体部、トリガー部、バネ部、キャップ部、シリンダ部、導入部及びノズル口部が一体となっているトリガー式スプレイヤーに存する。
【０００９】
本発明は、（２）トリガー部が指入れ穴部を有し、該指入れ穴部に指を入れて、引くことにより、液体が噴射される上記（１）記載のトリガー式スプレイヤーに存する。
【００１０】
本発明は、（３）本体部には、把持する際に指を当接する突起部が設けられており、該突起部が指入れ穴部よりも下方に設けられている上記（２）記載のトリガー式スプレイヤーに存する。
【００１１】
本発明は、（４）Ｓバルブが、弁と、該弁を上方に付勢するバルブ用バネ部と、ピストン部にバルブ用バネ部を固定する基部と、からなり、弁、バルブ用バネ部及び基部が一体となっている上記（１）〜（３）のいずれか１つに記載のトリガー式スプレイヤーに存する。
【００１２】
本発明は、（５）トリガー部の移動に連動してピストン部が上下に摺動するようになっており、該ピストン部の摺動に基づいて、シリンダ部内の液体が加圧され、蓄圧された該液体がノズル部から外部に噴射されるようになっている上記（１）〜（４）のいずれか１つに記載のトリガー式スプレイヤーに存する。
【００１３】
本発明は、（６）上記（１）〜（５）のいずれか１つに記載のトリガー式スプレイヤーの製造方法であって、本体部、キャップ部、シリンダ部、導入部、ノズル口部、トリガー部及びバネ部が一体となった第１部材に、Ｆバルブを挿入し、ピストン部、液体流通部、スピンナー部及び支持棒部が一体となった第２部材に、Ｓバルブを取り付け、第１部材のシリンダ部に、第２部材のピストン部を圧入することにより得られるトリガー式スプレイヤーの製造方法に存する。
【発明の効果】
【００１４】
本発明のトリガー式スプレイヤーは、少なくとも、本体部、キャップ部、シリンダ部、導入部、ノズル口部、トリガー部及びバネ部が一体となっているので、部品点数を減らすことができ、全体の組み付けが容易となる。
また、組み付け時においては、シリンダ部にピストン部を圧入するだけで、容易に各部の位置決めを行うことができる。
【００１５】
本発明のトリガー式スプレイヤーにおいては、トリガー部が指入れ穴部を有する場合、ノズル口部１５から液垂れが発生しても手に付着することを防止できる。
また、例えば、ノズル部を自分に向け、指入れ穴部に親指を入れて、引くことにより、化粧水等の液体を容易に自分に吹き付けることができる。このとき、トリガー部を把持する際に人差指が当接する突起部が設けられていると、トリガー式スプレイヤーを持ちやすく滑りにくい。
【００１６】
本発明のトリガー式スプレイヤーにおいては、Ｓバルブが、弁と、該弁を上方に付勢するバルブ用バネ部と、ピストン部にバルブ用バネ部を固定する支持部と、からなる場合、蓄圧式のスプレイヤーとして用いることができ、且つ、これらが一体となっている場合、取り付けも更に容易となる。
【００１７】
本発明のトリガー式スプレイヤーにおいては、トリガー部の移動に連動してピストン部が上下に摺動するようになっており、該ピストン部の摺動に基づいて、シリンダ部内の液体が加圧され、蓄圧された該液体がノズル部から外部に噴射されるようになっている場合、簡単な構造でありながら、確実に一定量の液体を噴射することが可能となる。
【００１８】
本発明のトリガー式スプレイヤーの製造方法においては、第１部材に、Ｆバルブを挿入し、第２部材にＳバルブを取り付け、シリンダ部にピストン部を圧入することにより得られるので、組み付けが極めて容易となる。
【図面の簡単な説明】
【００１９】
【図１】図１は、本発明に係るトリガー式スプレイヤーの一実施形態を示す部分断面図である。
【図２】図２の（ａ）は、本実施形態に係るトリガー式スプレイヤーの第１部材を示す斜視図であり、図２の（ｂ）は、図２の（ａ）の断面図である。
【図３】図３の（ａ）は、本実施形態に係るトリガー式スプレイヤーの第２部材を示す斜視図であり、図３の（ｂ）は、図３の（ａ）の断面図である。
【図４】図４の（ａ）は、本実施形態に係るトリガー式スプレイヤーのＳバルブを示す斜視図であり、図４の（ｂ）は、図４の（ａ）の断面図である。
【図５】図５の（ａ）は、本実施形態に係るトリガー式スプレイヤーのトリガー部を引く前の状態を示す断面図であり、図５の（ｂ）は、図５の（ａ）の状態からトリガー部を引いた後の状態を示す断面図である。
【発明を実施するための形態】
【００２０】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２１】
本発明のトリガー式スプレイヤーは、容器の口部に着脱可能となっている。すなわち、トリガー式スプレイヤーは、キャップ部を介して、市販の容器に対して着脱可能となっている。なお、該容器は、口部にトリガー式スプレイヤーのキャップ部が取り付け可能であれば、形状を問わない。
【００２２】
図１は、本発明に係るトリガー式スプレイヤーの一実施形態を示す部分断面図である。
図１に示すように、本実施形態に係るトリガー式スプレイヤー１００は、本体部１と、該本体部１に枢着されたトリガー部４と、該トリガー部４に当接されるバネ部６と、本体部１に内蔵され容器Ｘの口部に取り付け可能なキャップ部２と、該キャップ部２の内側に設けられたシリンダ部３と、該シリンダ部３の下端部３ａに連結された導入部５と、シリンダ部３の下端部３ａに収容されシリンダ部３内への液体の流路を開閉するＦバルブ７ａと、シリンダ部３内を摺動可能なピストン部１３と、該ピストン部１３に連続し屈曲可能な液体流通部１３ａと、該液体流通部１３ａの先端に設けられたスピンナー部１４と、該スピンナー部１４が嵌合されるノズル口部１５と、液体流通部１３ａに設けられトリガー部４に枢着される支持棒部１６と、ピストン部１３に収容されシリンダ部３内の液体の流路を開閉するＳバルブ７ｂと、を備える。
【００２３】
本実施形態に係るトリガー式スプレイヤー１００は、本体部１、トリガー部４、バネ部６、キャップ部２、シリンダ部３、導入部５及びノズル口部１５が一体となった第１部材５０を有する。このため、トリガー式スプレイヤー１００は、部品点数を減らすことができ、全体の組み付けが容易となる。
【００２４】
図２の（ａ）は、本実施形態に係るトリガー式スプレイヤーの第１部材を示す斜視図であり、  図２の（ｂ）は、  図２の（ａ）の断面図である。
図２の（ａ）及び  図２の（ｂ）に示すように、第１部材５０において、本体部１には、上方に延びる棒状のバネ部６が設けられており、該バネ部６は、トリガー部４に当接されるようになっている。
また、本体部１には、キャップ部２が設けられており、該キャップ部２は、液体を収容可能な図示しない容器の口部に取り付け可能となっている。
さらに、該キャップ部２の内側には、中空円筒状のシリンダ部３が設けられている。
【００２５】
第１部材５０において、本体部１は、壁部１ａを有しており、該壁部１ａにより、キャップ部２及びシリンダ部３が覆われている。すなわち、キャップ部２及びシリンダ部３は、本体部１に内蔵された構造となっている。これにより、トリガー式スプレイヤー１００を把持しやすくなり且つ内部構造が保護される。
また、本体部１には、壁部１ａに連続するように突起部１ｂが設けられている。本体部１が突起部１ｂを有することにより、トリガー式スプレイヤー１００を把持する際に指を突起部１ｂに引掛けることができるので、手を突起部１ｂに当接させることにより、トリガー式スプレイヤーを持ちやすくなり且つ滑りにくくなる。
【００２６】
第１部材５０において、本体部１には、スピンナー部１４が嵌合されるノズル口部１５が設けられている。スピンナー部１４は、ノズル口部１５に嵌合されることにより、位置決めされる。なお、ノズル口部１５には、スピンナー部１４から吐出される液体を例えば泡状にするフラップが設けられていてもよい。
【００２７】
第１部材５０において、シリンダ部３は、下端部３ａに導入部５が連結されている。トリガー式スプレイヤー１００において、導入部５は容器内に挿入されており、先端が容器内の液体中に浸漬される。そして、容器内の液体はこの導入部５を介して吸い上げられシリンダ部３内に流入されることになる。なお、導入部５の先端には、チューブ等が取り付けられていてもよい。この場合、チューブの先端が容器内の液体中に浸漬され、該チューブから容器内の液体が導入されることになる。
【００２８】
このとき、シリンダ部３の下端部３ａには、シリンダ部３内への液体の流路を開閉するＦバルブ７ａが内設されている。これにより、容器Ｘ内の液体がシリンダ部３内へ導入される場合には、Ｆバルブ７ａが流路を開き、液体が吐出される場合には、Ｆバルブ７ａが流路を閉じるようになっている。
【００２９】
第１部材５０において、本体部１には、トリガー部４が枢着されている。
トリガー部４は、蓋部４ａと、該蓋部４ａから屈曲して連結された指入れ部４ｂとからなる略Ｌ字状であり、蓋部４ａに、支持棒部１６を枢着する枢着部１６ａが設けられ、指入れ部４ｂに、指を入れてトリガー部４を引くための指入れ穴部８が設けられている。
【００３０】
ここで、本実施形態に係るトリガー式スプレイヤー１００においては、トリガー部４が指入れ穴部８を有するので、ノズル口部１５から液垂れが発生しても手に付着することを防止できる。
例えば、突起部１ｂに人差し指を当接させ、指入れ穴部８に親指を入れて、引くことにより、化粧水等の液体を容易に自分に吹き付けることができる。
このとき、トリガー式スプレイヤー１００においては、突起部１ｂは、指入れ穴部８よりも下方に設けられている。
より詳しくは、トリガー部４の作用時において、突起部１ｂに当接される指が、指入れ穴部８に当接される指よりも下方になるように、突起部１ｂ及び指入れ穴部８が設けられている。このため、トリガー式スプレイヤー１００を把持しやすく、且つトリガー部４を引きやすいという利点がある。
【００３１】
トリガー部４は、蓋部４ａの一端が本体部１に枢着されており、トリガー部４を閉じることにより、本体部１が蓋をされるようになっている。トリガー部４を閉じると、支持棒部１６が枢着部１６ａに枢着され、トリガー部４が位置固定される。なお、同時に、バネ部６は、屈曲された状態で蓋部４ａに当接される。
【００３２】
第１部材５０において、トリガー部４には、指入れ部４ｂに嵌合穴部２０ａが設けられており、トリガー部４を閉じることにより、上記ノズル口部１５が嵌合穴部２０ａに配置されるようになっている。これにより、トリガー部４がノズル口部１５からの液体の吐出を妨げない。
また、トリガー部４には、ストッパー２０が取り付けられている。かかるストッパー２０は、嵌合穴部２０ａに嵌合可能となっており、図１に示すように、ストッパー２０を嵌合穴部２０ａに嵌合することにより、ノズル口部１５を封じることができる。また、ストッパー２０を嵌合穴部２０ａに嵌合することにより、トリガー部４の回動をロックすることができるので、例えば、不使用時に液体が漏れることを抑制することができる。
【００３３】
本実施形態に係るトリガー式スプレイヤー１００においては、ピストン部１３、液体流通部１３ａ、スピンナー部１４及び支持棒部１６が一体となった第２部材６０を有する。このため、上記トリガー式スプレイヤー１００は、部品点数をより減らすことができ、全体の組み付けがより容易となる。
【００３４】
図３の（ａ）は、本実施形態に係るトリガー式スプレイヤーの第２部材を示す斜視図であり、図３の（ｂ）は、図３の（ａ）の断面図である。
図３の（ａ）及び図３の（ｂ）に示すように、第２部材６０において、ピストン部１３は、シリンダ部３内を摺動するようになっている。該摺動により、シリンダ部３内の液体が加圧され、蓄圧された液体がノズル口部１５から外部に噴射されることになる。
【００３５】
第２部材６０において、上述したように、ピストン部１３には、屈曲可能な液体流通部１３ａが連続して設けられている。
また、液体流通部１３ａには、先端にスピンナー部１４が設けられており、中腹部に支持棒部１６が設けられている。
【００３６】
液体流通部１３ａは、スピンナー部１４をノズル口部１５に嵌合し、支持棒部１６をトリガー部４の枢着部１６ａに枢着することにより、屈曲した状態で位置決めされる（図１参照）。
【００３７】
トリガー式スプレイヤー１００において、ピストン部１３には、シリンダ部３内の液体の流路を開閉するＳバルブ７ｂが収容されている。
【００３８】
図４の（ａ）は、本実施形態に係るトリガー式スプレイヤーのＳバルブを示す斜視図であり、図４の（ｂ）は、図４の（ａ）の断面図である。
図４の（ａ）及び図４の（ｂ）に示すように、Ｓバルブ７ｂは、弁１７ａと、該弁１７ａを上方に付勢するバルブ用バネ部１７ｂと、ピストン部１３にバルブ用バネ部１７ｂを固定する基部１７ｃと、からなる。
【００３９】
本実施形態に係るトリガー式スプレイヤー１００においては、弁１７ａ、バルブ用バネ部１７ｂ及び基部１７ｃが一体となったＳバルブ７ｂを備えるので、上記トリガー式スプレイヤー１００は、部品点数をより一層減らすことができ、全体の組み付けがより一層容易となる。
【００４０】
Ｓバルブ７ｂは、ピストン部１３の内部に配置される（図１参照）。このとき、基部１７ｃは、ピストン部１３の下端部に固定されるようになっており、弁１７ａは、ピストン部１３内の弁座に当接されるようになっている。
そして、バルブ用バネ部１７ｂは、伸縮可能となっており、弁１７ａは、バルブ用バネ部１７ｂによる一定のバネ力により、弁座に付勢されるようになっている。
【００４１】
Ｓバルブ７ｂは、ピストン部１３内の液体の流路を塞ぐ弁の働きをする。すなわち、弁１７ａがバルブ用バネ部１７ｂによって上方に付勢されているので、シリンダ部３内の液体が一定の圧力まで加圧されると、ピストン部１３が下降すると共に、Ｓバルブ７ｂとシリンダ部３との間が開き、シリンダ部３内の液体が一定の圧力より減圧されると、ピストン部１３が上昇すると共に、Ｓバルブ７ｂとシリンダ部３との間が閉じるようになっている。これにより、トリガー式スプレイヤー１００においては、Ｓバルブ７ｂによって液体の流通が確実に遮断されるので、液垂れを防止することができる。なお、Ｓバルブ７ｂは、図４の（ｂ）に示すように、内部が中空となっているので、Ｓバルブ７ｂの軽量化が図られ、バルブ用バネ部１７ｂへの負担も小さい。
【００４２】
次に、本実施形態に係るトリガー式スプレイヤー１００の作用について説明する。
図５の（ａ）は、本実施形態に係るトリガー式スプレイヤーのトリガー部を引く前の状態を示す断面図であり、図５の（ｂ）は、図５の（ａ）の状態からトリガー部を引いた後の状態を示す断面図である。
【００４３】
本実施形態に係るトリガー式スプレイヤー１００においては、図５の（ａ）に示すトリガー部４の指入れ穴部８に指を入れて、手前に引くことにより、図５の（ｂ）に示すように、トリガー部４が下方に移動する。
このとき、支持棒部１６がトリガー部４の枢着部１６ａに枢着されているので、支持棒部１６が下方に移動し、これと共にピストン部１３が下降する。
ピストン部１３が下降すると、シリンダ部３内の液体が加圧される。そして、液体に一定の圧力まで蓄圧されると、Ｓバルブ７ｂが開き、該液体がシリンダ部３から液体流通部１３ａの内部を流通してスピンナー部１４からノズル口部１５を介して外部に噴射されるようになっている。
【００４４】
そして、液体が噴射されると、シリンダ部３内の液体が徐々に減圧され、その後、液体の噴射が停止する。
【００４５】
液体の噴射後、トリガー部４を手前に引いた状態から開放すると、トリガー部４に屈曲された状態で当接されたバネ部６の復帰力によって、トリガー部４が元の位置に戻ると共に、支持棒部１６が上方に移動し、ピストン部１３が上昇する。
ピストン部１３が上昇すると、シリンダ部３内の空間が負圧となるので、負圧を解消するためにＦバルブ７ａが流路を開き、容器内の液体が吸上げられ、シリンダ部３内に液体が充填されることになる。
【００４６】
トリガー式スプレイヤー１００においては、このような操作が繰り返されることにより、一定量の液体が、ノズル口部１５から繰り返して噴射されることになる。このように、上記トリガー式スプレイヤー１００は、簡単な構造でありながら、確実に一定量の液体を噴射することが可能となっている。
【００４７】
次に、本実施形態に係るトリガー式スプレイヤー１００の製造方法について説明する。
本実施形態に係るトリガー式スプレイヤー１００の製造方法においては、まず、本体部１、キャップ部２、シリンダ部３、導入部５、ノズル口部１５、トリガー部４及びバネ部６が一体となった第１部材５０（図２参照）に、Ｆバルブ７ａを挿入する。
【００４８】
一方で、ピストン部１３、液体流通部１３ａ、スピンナー部１４及び支持棒部１６が一体となった第２部材６０（図３参照）には、Ｓバルブ７ｂ（図４参照）を取り付ける。
【００４９】
そして、第１部材５０のシリンダ部３に、第２部材６０のピストン部１３を圧入することによりトリガー式スプレイヤーが得られる。なお、上述した第１部材５０、第２部材６０、Ｆバルブ７ａ及びＳバルブ７ｂの材質は、いずれも合成樹脂であり、主として射出成形により製造される。
【００５０】
このように、上記トリガー式スプレイヤー１００の製造方法においては、組み付け工数が少なくてすむので、組み付けが極めて容易である。
また、組み付け時に、シリンダ部３にピストン部１３を圧入するだけで、容易に各部の位置決めを行うことができる。
【００５１】
以上、本発明の好適な実施形態について説明したが、本発明は上記実施形態に限定されるものではない。
【００５２】
例えば、本実施形態に係るトリガー式スプレイヤー１００は、少なくとも第１部材５０を備えていれば、部品点数を減らすことができ、組み付けが容易であり且つ組み付け時の位置決めを確実に行えるという利点を奏することができる。
したがって、トリガー式スプレイヤー１００は、ピストン部１３、液体流通部１３ａ、スピンナー部１４及び支持棒部１６が一体となった第２部材６０を有するが、ピストン部１３、液体流通部１３ａ、スピンナー部１４及び支持棒部１６はそれぞれ別体であってもよい。
同様に、トリガー式スプレイヤー１００は、弁１７ａ、バルブ用バネ部１７ｂ及び基部１７ｃが一体となったＳバルブ７ｂを有するが、弁１７ａ、バルブ用バネ部１７ｂ及び基部１７ｃはそれぞれ別体であってもよい。
【００５３】
本実施形態に係るトリガー式スプレイヤー１００において、本体部１には、壁部１ａに連続するように突起部１ｂが設けられている。突起部１ｂは必ずしも有する必要はない。
また、トリガー部４には、ストッパー２０が取り付けられているが、ストッパー２０は必ずしも有する必要はない。
【００５４】
本実施形態に係るトリガー式スプレイヤー１００において、バネ部６は、板状となっているが、コイル状、蛇状、バネ座金状等であってもよく、バルブ用バネ部１７ｂは、蛇状となっているが、コイル状、板状、バネ座金状等であってもよい。
【００５５】
本実施形態に係るトリガー式スプレイヤー１００において、ＦバルブとＳバルブとが一体となっていてもよい。その場合、全体としての部品点数がより少なくなる利点がある。
【産業上の利用可能性】
【００５６】
本発明のトリガー式スプレイヤーは、トリガーを引くことにより、容器内の液を噴射する装置として好適に用いられる。本発明のトリガー式スプレイヤーによれば、部品点数を減らすことができ、組み付けが容易である。
【符号の説明】
【００５７】
１・・・本体部
１ａ・・・壁部
１ｂ・・・突起部
２・・・キャップ部
３・・・シリンダ部
３ａ・・・下端部
４・・・トリガー部
４ａ・・・蓋部
４ｂ・・・指入れ部
５・・・導入部
６・・・バネ部
７ａ・・・Ｆバルブ部
７ｂ・・・Ｓバルブ部
８・・・指入れ穴部
１３・・・ピストン部
１３ａ・・・液体流通部
１４・・・スピンナー部
１５・・・ノズル口部
１６・・・支持棒部
１６ａ・・・枢着部
１７ａ・・・弁
１７ｂ・・・バルブ用バネ部
１７ｃ・・・基部
２０・・・ストッパー
２０ａ・・・嵌合穴部
５０・・・第１部材
６０・・・第２部材
１００・・・トリガー式スプレイヤー
Ｘ・・・容器
【図１】
2013056293.tif 000003
【図２】
2013056293.tif 000004
【図３】
2013056293.tif 000005
【図４】
2013056293.tif 000006
【図５】
2013056293.tif 000007